(57)【要約】【課題】食器収納かごの使い方に注意を払わなくても転倒の恐れがない食器洗い機を提供すること。【解決手段】洗浄槽と、この洗浄槽内に出し入れ自在なる食器収納かごと、前記洗浄槽の出し入れ開口部を開け閉めする蓋とを有する食器洗い機において、前記食器収納かごは、上下の二段に設けられ、かつ食器収納かごが引き出されるのを拘束するかごロック手段をそれぞれ設け、一方の食器収納かごが引き出されると、他方の食器収納かごのかごロック手段が拘束作動することを特徴とする。【選択図】図４
2006122360.tif 000002
【特許請求の範囲】
【請求項１】
洗浄槽と、この洗浄槽内に出し入れ自在なる食器収納かごと、前記洗浄槽の出し入れ開口部を開け閉めする蓋とを有する食器洗い機において、
前記食器収納かごは、前記洗浄槽内に上下二段に設けられ、かつ一方の食器収納かごが引き出されると他方の食器収納かごが引き出されないように拘束されることを特徴とする食器洗い機。
【請求項２】
洗浄槽と、この洗浄槽内に出し入れ自在なる食器収納かごと、前記洗浄槽の出し入れ開口部を開け閉めする蓋とを有する食器洗い機において、
前記食器収納かごは、前記洗浄槽内に上下二段に設けられ、かつ該食器収納かごが引き出されるのを拘束するかごロック手段をそれぞれ設け、
一方の食器収納かごが引き出されると、他方の食器収納かごのかごロック手段が拘束するよう作動することを特徴とする食器洗い機。
【請求項３】
請求項２において、
かごロック手段は、出没自在なるストッパーを有することを特徴とする食器洗い機。
【請求項４】
請求項２において、
食器収納かごの出し入れを検知するかご検知手段をそれぞれ設け、
一方のかご検知手段が食器収納かごの引き出しを検知すると他方の食器収納かごのかごロック手段が拘束するよう作動することを特徴とする食器洗い機。
【発明の詳細な説明】
【技術分野】
【０００１】
本発明は、食器類に洗浄水を噴射して洗浄する食器洗い機に関する。
【背景技術】
【０００２】
この種の食器洗浄機は、洗浄槽と、この洗浄槽内に出し入れ自在なる食器収納かごと、前記洗浄槽の出し入れ開口部を開け閉めする蓋を備える構成を有する。参考までに特許文献１を例示する。
【０００３】
【特許文献１】特開２００３−３０４９９６号公報
【発明の開示】
【発明が解決しようとする課題】
【０００４】
食器の出し入れは、食器収納かごを引き出し行う。上下の食器収納かごを一度に引き出すと、不安定になって食器洗い機が手前側に倒れそうになる。軽い食器を前側に、重い食器を奥側になるように食器収納かごに置くなどして転倒しないように心がけた使い方をしている。
【０００５】
本発明は、上記転倒の不具合に対処し、食器収納かごの使い方に注意を払わなくても転倒の恐れがない食器洗い機を提供することを目的とする。
【課題を解決するための手段】
【０００６】
本発明は、洗浄槽と、この洗浄槽内に出し入れ自在なる食器収納かごと、洗浄槽の出し入れ開口部を開け閉めする蓋とを有する食器洗い機にあって、食器収納かごは、前記洗浄槽内に上下二段に設けられ、かつ一方の食器収納かごが引き出されると他方の食器収納かごが引き出されないように拘束されることを特徴とする。
【発明の効果】
【０００７】
本発明によれば、上下の食器収納かごが、一度に引き出されないので、食器洗い機の転倒が防止される。
【発明を実施するための最良の形態】
【０００８】
本発明の実施形態に係わる実施例に基づいて説明する。
【０００９】
まず、図１、図２に沿って食器洗い機の概要から述べる。
【００１０】
食器洗浄機の外枠本体１内には、洗浄槽２が備わる。洗浄槽２の下方には洗浄槽ベース３が設けられる。洗浄槽２と下部の洗浄槽ベース３は合成樹脂で形成され、洗浄槽２の内面には、ステンレスの薄い鋼板が貼り付けるように設けられている。洗浄槽２の下端と、洗浄槽ベース３の上端は水密が保たれるように結合される。
【００１１】
洗浄槽２は前面に開口部を有し、この開口部を開け閉めする上／下蓋４、５が備わる。この上／下蓋４、５は、上下に分かれるように開放作動するものであるが、一枚の蓋にすることの可能である。
【００１２】
洗浄槽ベース３には、回転噴射ノズル６が備わる。回転噴射ノズル６は、回転しながら洗浄槽２内に洗浄水を噴射して後述する食器収納かごに収まる食器類の洗浄を行う。洗浄ポンプ（図示せず）は、洗浄槽ベース３の下方に置かれ、回転噴射ノズル６に洗浄水を加圧供給する。
【００１３】
水溜部１５は、洗浄槽ベース３に下向に窪むように形成される。水溜部１５は、洗浄槽ベースの手前側から左側に亘って窪みになっている。この水溜部１５は、回転噴射ノズル６が設けられるところよりも低く、洗浄水が集まって溜まる。手前側の水溜部１５には、電熱ヒータ７が内置される。
【００１４】
また外枠本体１内には、排水ポンプ（図示せず）、送風ファン（図示せず）、給水弁（図示せず）が備わる。
【００１５】
外枠本体１の下部前面には、操作パネル８が設けられる。この操作パネル８には、後述する表示手段２８、入力手段２９、制御装置が備わる。
【００１６】
次に制御装置の制御回路について図４に沿って説明する。
【００１７】
商用の電源には、負荷制御手段２０が接続され、この負荷制御手段２０には、排水ポンプ２１、給水弁２２、洗浄ポンプ２３、かごロック手段２４、送風手段２５が接続される。
【００１８】
制御手段２６は、マイクロコンピュータを中心に構成され、電源回路２７を介して商用の電源に接続される。電源回路２７は、交流を直流に変換して制御手段に直流の電気を供給する。表示手段２８、入力手段２９、かご検知手段３０は、制御手段２６に接続される。
【００１９】
次に食器収納かご、かご検知手段及びかごロック手段について図３、図４を引用して説明する。
【００２０】
上側の食器収納かご５０、下側の食器収納かご５１は、外枠本体１の洗浄槽２内に出し入れ自在に備わる。洗浄槽２内には、ガイドレール（図示せず）が備えられ、このガイドレールをガイドにして食器収納かご５０、５１は出し入れされる。下側の食器収納かご５１は、開放された下蓋５の内側上面に載せるように引き出される。
【００２１】
ガイドレールの奥側端部にあたる洗浄槽２の内部には、かご検知スイッチ５２が設けられる。食器収納かご５０、５１の後端にはスイッチ押し部材５３が設けられる。このスイッチ押し部材５３とかご検知スイッチ５２により、かご検知手段３０が構成される。かご検知手段３０は、上下側の食器収納かご５０、５１に対応して設けられる。かご検知スイッチ５２は、食器収納かご５０、５１が引き出したときにＯＦＦになり、押し戻したときにＯＮになる。
【００２２】
かごロック手段２４は、洗浄槽２の開口部側に設けられる。かごロック手段２４は、出没自在なるストッパー（図示せず）を有し、ストッパーが突出すると、食器収納かご５０、５１が引き出されるのを拘束する。かごロック手段２４の拘束作動により、食器収納かご５０、５１の引き出しを拘束し、かごロック手段２４の拘束解除により食器収納かご５０、５１の引き出しが可能になるのである。
【００２３】
かご検知手段３０と、かごロック手段２４は、次のような関係になっている。
【００２４】
図５に示すように、上／下蓋が閉じられ、食器収納かご５０、５１が押し戻されているときは、上／下かご検知手段３０がＯＮになっており、かごロック手段２４は拘束が解除されている。
【００２５】
上側の食器収納かご５０が引き出されると、上かご検知手段３０がＯＦＦし、このＯＦＦ信号を読んで制御手段２６は下側のかごロック手段２４を拘束作動（ロック）させる。このため、下側の食器収納かご５１の引き出しは拘束される。このとき、制御手段２６は上側のかごロック手段２４を拘束解除に指示するので、上側の食器収納かご５０を引き出すことができる。
【００２６】
上側の食器収納かご５０が押し戻されて洗浄槽２の内部に収納されると、上かご検知手段３０はＯＮする。この上かご検知手段３０のＯＮにより、下側のかごロック手段２４の拘束も解かれてロックが解除される。ここで、下側の食器収納かご５１を引き出すと、下かご検知手段３０がＯＦＦし、このＯＦＦ信号を読んで制御手段２６は上側のかごロック手段２４を拘束作動（ロック）させる。このため、上側の食器収納かご５０の引き出しは拘束される。
【００２７】
このように、上側の食器収納かご５０が引き出されると、下側のかごロック手段２４が拘束作動して下側の食器収納かご５１の引き出しを拘束する。逆に、下側の食器かご５１が引き出されると、上側のかごロック手段２４が拘束作動して上側の食器かご５０の引き出しを拘束するので、一度に上／下側の食器かご収納５０、５１を引き出すことができない。このため、上／下側の食器収納かご５０、５１が一緒に引き出されてバランスを失い、食器洗い機が前方に倒れる不具合が防止されるのである。
【００２８】
図３に示すように上側の食器収納かご５０は、転倒防止等を考慮して後端まで引き出されないようにするのが望ましい。上側蓋４を最大開放状態したときの角度θが４５°以上あれば、食器収納かご５０への食器類の出し入れが容易にできる。なお、角度θは、食器収納かご５０の上面後端を基点とした上側蓋４の下側端面と食器収納かご５０の上面との開き角度である。
【００２９】
また図３に示すように食器洗い機の外枠本体１は、下部に支持脚６０を有する。前側の支持脚６０は外枠本体１の前面下部に設けた切り欠き凹部６０を避けて前側の左右両端に配置する。これにより、前側の支持脚６０は可能な限り、外枠本体１の前面に設けることができ、食器洗い機の転倒防止に役立つ。
【００３０】
次に上／下側の食器収納かご５０、５１が同時に引き出されそうになったときの対応について述べる。
【００３１】
食器収納かご５０、５１の同時引き出しにともなう、上／下かご検知手段３０は、同時にＯＦＦ信号を出す。制御手段２６が同時にＯＦＦ信号を読んだときに、制御手段２６は、一方のかごロック手段２４だけを拘束作動するような指示機能を有する。
【００３２】
これにより、食器収納かご５０、５１を同時引き出そうとしても、一方の食器収納かごが拘束され、上／下側の食器収納かご５０、５１の同時引き出が阻止される。
【図面の簡単な説明】
【００３３】
【図１】本発明の実施形態に係わる実施例を示すもので、食器洗浄機の正面図。
【図２】本発明の実施形態に係わる実施例を示すもので、上／下側の蓋を外した食器洗浄機の斜視図。
【図３】本発明の実施形態に係わる実施例を示すもので、上／下側の食器かごを引き出し操作を示す図。
【図４】本発明の実施形態に係わる実施例を示すもので、食器洗浄機の制御装置の制御回路。
【図５】本発明の実施形態に係わる実施例を示すもので、かご検出手段と、かごロック手段との動作関係を示す図。
【符号の説明】
【００３４】
１…本体、２洗浄槽、３…洗浄槽ベース、４…上蓋、５…下蓋、６…回転噴射ノズル、７…電熱ヒータ、８…操作パネル、１５…水溜部、２０…負荷制御手段、２１…排水ポンプ、２２…給水弁、２３…洗浄ポンプ、２４…かごロック手段、２５…送風ファン、２６…制御手段、２７…電源回路、２８…表示手段、２９…入力手段、３０…かご検知手段、５０…上側の食器収納かご、５１…下側の食器収納かご、５２…かご検知スイッチ、５３…スイッチ押し部材、６０…支持脚。
【図１】
2006122360.tif 000003
【図２】
2006122360.tif 000004
【図３】
2006122360.tif 000005
【図４】
2006122360.tif 000006
【図５】
2006122360.tif 000007